(57)【要約】【課題】登録装置から複数の精算装置に商品を効率的に搬送できるＰＯＳシステムを提供する。【解決手段】ＰＯＳシステムは、顧客の購入対象の商品を登録する登録装置と、前記商品の取引情報に基づいて顧客が自ら操作して精算処理を行う複数の精算装置と、を備える。ＰＯＳシステムは、前記精算装置に関する所定の検知を行う検知手段と、前記検知手段により所定の検知がなされた精算装置で前記精算処理が行えるように前記取引情報を送信する送信手段と、を備える。【選択図】図２
2019191834.tif 000002
【特許請求の範囲】
【請求項１】
顧客の購入対象の商品を登録する登録装置と、
前記商品の取引情報に基づいて顧客が自ら操作して精算処理を行う複数の精算装置と、
を有するＰＯＳシステムにおいて、
前記精算装置に関する所定の検知を行う検知手段と、
前記検知手段により所定の検知がなされた精算装置で前記精算処理が行えるように前記取引情報を送信する送信手段と、
を備えることを特徴とするＰＯＳシステム。
【請求項２】
前記登録装置で登録された商品を前記複数の精算装置の中の一つに振り分ける振分手段を備え、
前記検知手段は、前記振分手段によって前記商品が振り分けられた精算装置を検知する請求項１に記載のＰＯＳシステム。
【請求項３】
前記登録装置によって登録された商品を前記登録装置から前記精算装置に向けて搬送する搬送手段をさらに備え、
前記振分手段は、前記搬送手段に設けられている請求項２に記載のＰＯＳシステム。
【請求項４】
前記検知手段は、前記登録装置で登録された商品が収容された買い物かご及びショッピングカートのうちの少なくとも一方が所定位置にあることを検知する請求項１〜３のうちのいずれか１項に記載のＰＯＳシステム。
【請求項５】
前記検知手段は、前記精算装置の近傍に来た人を検知する人感センサを含む請求項１〜３のうちのいずれか１項に記載のＰＯＳシステム。
【請求項６】
前記検知手段は、前記精算装置の近傍を撮像する撮像手段と、
前記撮像手段で撮像された画像に基づいて、前記精算装置の近傍に来た人を検知する画像処理手段を含む請求項１〜３のうちのいずれか１項に記載のＰＯＳシステム。
【請求項７】
顧客の購入対象の商品を登録する登録手段と、
前記商品の取引情報に基づいて顧客が自ら操作して精算処理を行う複数の精算装置に、取引情報を送信する送信手段と、を備え、
前記送信手段は、前記精算装置に関する所定の検知を行う検知手段により所定の検知がなされた精算装置に前記取引情報を送信することを特徴とする登録装置。
【請求項８】
コンピュータを、
顧客の購入対象の商品を登録する登録手段、
前記商品の取引情報に基づいて顧客が自ら操作して精算処理を行う複数の精算手段、
前記精算手段に関する所定の検知を行う検知手段、
前記検知手段により所定の検知がなされた精算手段で前記精算処理が行えるように前記取引情報を送信する送信手段、として機能させるプログラム。
【請求項９】
顧客の購入対象の商品を登録する登録装置から送信される前記商品の取引情報に基づいて顧客自ら操作して精算処理を行う複数の精算装置に含まれる精算装置であって、
所定の検知を行う検知手段により所定の検知がなされたときに、前記登録装置から送信される前記取引情報を受信する受信手段を備えることを特徴とする精算装置。
【発明の詳細な説明】
【技術分野】
【０００１】
本発明は、ＰＯＳシステム、登録装置、プログラム、及び精算装置に関する。
【背景技術】
【０００２】
従来、ネットワークによって接続された、登録装置と精算装置とを備えるシステムが知られている。また、登録装置で登録された商品を精算装置に搬送する搬送装置が設けられたものがある（例えば、特許文献１参照）。
【先行技術文献】
【特許文献】
【０００３】
【特許文献１】特開２０１２−２０３５５４号公報
【発明の概要】
【発明が解決しようとする課題】
【０００４】
しかしながら、特許文献１に開示された技術などでは、登録装置側から複数の精算装置のうち精算処理を行う一の精算装置側に効率的に商品を搬送することができないという問題がある。
【０００５】
本発明は、このような事情に鑑みてなされたもので、その目的は、登録装置側から複数の精算装置のうち精算処理を行う一の精算装置側に効率的に商品を搬送する技術を提供することにある。
【課題を解決するための手段】
【０００６】
上述した課題を解決するために、本発明の一態様に係るＰＯＳシステムは顧客の購入対象の商品を登録する登録装置と、前記商品の取引情報に基づいて顧客が自ら操作して精算処理を行う複数の精算装置と、を有するＰＯＳシステムにおいて、前記精算装置に関する所定の検知を行う検知手段と、前記検知手段により所定の検知がなされた精算装置で前記精算処理が行えるように前記取引情報を送信する送信手段と、を備えることを特徴とする。
【０００７】
上記ＰＯＳシステムにおいて、前記登録装置で登録された商品を前記複数の精算装置の中の一つに振り分ける振分手段を備え、前記検知手段は、前記振り分け手段によって前記商品が振り分けられた精算装置を検知するようにしてもよい。
【０００８】
上記ＰＯＳシステムにおいて、前記登録装置によって登録された商品を前記登録装置から前記精算装置に向けて搬送する搬送手段をさらに備え、前記振分手段は、前記搬送手段に設けられているようにしてもよい。
【０００９】
上記ＰＯＳシステムにおいて、前記登録装置で登録された商品が収容された買い物かご及びショッピングカートのうちの少なくとも一方が所定位置にあることを検知するようにしてもよい。
【００１０】
上記ＰＯＳシステムにおいて、前記検知手段は、前記精算装置の近傍に来た人を検知する人感センサを含むようにしてもよい。
【００１１】
上記ＰＯＳシステムにおいて、前記検知手段は、前記精算装置の近傍を撮像する撮像手段と、前記撮像手段で撮像された画像に基づいて、前記精算装置の近傍に来た人を検知する画像処理手段を含むようにしてもよい。
【００１２】
上述した課題を解決するために、本発明の一態様に係る登録装置は、顧客の購入対象の商品を登録する登録手段と、前記商品の取引情報に基づいて顧客が自ら操作して精算処理を行う複数の精算装置に、取引情報を送信する送信手段と、を備え、前記送信手段は、前記精算装置に関する所定の検知を行う検知手段により所定の検知がなされた精算装置に前記取引情報を送信することを特徴とする。
【００１３】
上述した課題を解決するために、本発明の一態様に係るプログラムは、コンピュータを、顧客の購入対象の商品を登録する登録手段前記商品の取引情報に基づいて顧客が自ら操作して精算処理を行う複数の精算手段、前記精算手段に関する所定の検知を行う検知手段、前記検知手段により所定の検知がなされた精算手段で前記精算処理が行えるように前記取引情報を送信する送信手段、として機能させる。
【００１４】
上述した課題を解決するために、本発明の一態様に係る精算装置は、顧客の購入対象の商品を登録する登録装置から送信される前記商品の取引情報に基づいて顧客自ら操作して精算処理を行う複数の精算装置に含まれる精算装置であって、所定の検知を行う検知手段により所定の検知がなされたときに、前記登録装置から送信される前記取引情報を受信する受信手段を備えることを特徴とする。
【発明の効果】
【００１５】
本発明に係るＰＯＳシステム、登録装置、プログラム、及び精算装置によれば、登録装置から複数の精算装置に商品を効率的に搬送できる。
【図面の簡単な説明】
【００１６】
【図１】本発明の第１の実施形態におけるＰＯＳシステムの構成例を表すブロック図である。
【図２】第１の実施形態におけるＰＯＳシステムが稼働している様子を表す平面図である。
【図３】第１の実施形態における登録装置の構成例を表すブロック図である。
【図４】登録装置の表示例である。
【図５】第１の実施形態における処理の流れを表すフローチャートである。
【図６】第２の実施形態におけるＰＯＳシステムが稼働している様子を表す平面図である。
【図７】第２の実施形態における処理の流れを表すフローチャートである。
【発明を実施するための形態】
【００１７】
［第１の実施形態］
本発明の第１の実施形態について図面を参照して詳細に説明する。図１は、本発明の第１の実施形態におけるＰＯＳシステム１（第２の実施形態におけるＰＯＳシステム２（後述）も同様）の構成例を表すブロック図である。ＰＯＳシステム１は、店舗に設置される。ＰＯＳシステム１は、図１に示すように、複数の登録装置（登録手段）１０−１、１０−２、…と、複数の精算装置（精算手段）２０−１、２０−２、…と、ストアコントローラ３０とを備え、ＬＡＮ４０を介して通信可能に接続されている。なお、登録装置１０−１、１０−２、…は、同一の構成であるため、特に個々を区別しない場合には、登録装置１０と総称する。精算装置２０−１、２０−２、…は、同一の構成であるため、特に個々を区別しない場合には、精算装置２０と総称する。
【００１８】
また、ＰＯＳシステム１は、振分装置５０−１、５０−２、…と、搬送装置６０−１、６０−２、…とを備え、ＬＡＮ４０を介してストアコントローラ３０と通信可能に接続されている。振分装置５０−１、５０−２、…は、同一の構成であるため、特に個々を区別しない場合には、振分装置５０と総称する。搬送装置６０−１、６０−２、…は、同一の構成であるため、特に個々を区別しない場合には、搬送装置６０と総称する。なお、ＬＡＮ４０上には、上記に加えて、登録装置１０、精算装置２０、振分装置５０、搬送装置６０の処理状況等を監視等する監視装置（不図示）などが接続されていてもよい。また、ＰＯＳシステム１は、接続搬送装置６１を備えている。接続搬送装置６１は、図示しないスイッチのＯＮ−ＯＦＦ操作によって作動と停止が切り替えられる。
【００１９】
ストアコントローラ３０は、店舗フロアの各装置（登録装置１０、精算装置２０）や、店舗外部の装置（例えば、本部の装置）などと通信する、コンピュータ（サーバ）である。ストアコントローラ３０は、店舗のバックヤード（不図示）などに設置される。
【００２０】
ストアコントローラ３０は、少なくとも、制御部（ストアコントローラ制御部と称する。不図示）と、記憶部（ストアコントローラ記憶部と称する。不図示）と、通信部（ストアコントローラ通信部と称する。不図示）と、を備える。ストアコントローラ制御部は、ストアコントローラ３０全体を制御する。
【００２１】
ストアコントローラ記憶部は、種々の情報を記憶する。例えば、ストアコントローラ記憶部は、商品ファイルをマスタファイルとして記憶する。商品ファイルは、商品コード（例えば、ＪＡＮ）、商品名、販売価格を含むマスタファイルである。また、ストアコントローラ記憶部は、取引情報を記憶する。取引情報は、各取引を特定（識別）するための取引番号（取引特定情報）、各取引の明細情報を含む取引に関する情報である。取引番号は、例えば、当該取引の処理をした装置の装置番号、取引毎に採番される固有の番号（例えば、シリアル番号）とから構成される番号としてもよい。また、明細情報には、例えば、当該取引の処理をした装置の装置番号、担当者識別情報、取引日時、商品名（又は商品コード）、金額、購入数、合計金額などが含まれていればよい。
【００２２】
ストアコントローラ通信部は、ストアコントローラ制御部の制御によって、種々の情報を送受信する。例えば、ストアコントローラ通信部は、外部（例えば、本部のサーバ）から商品ファイルを受信し、ストアコントローラ記憶部に記憶する。また、ストアコントローラ通信部は、ストアコントローラ記憶部に記憶している商品ファイルを登録装置１０や精算装置２０に送信（配信）する。また、ストアコントローラ通信部は、登録装置１０や精算装置との間で取引情報を送受信する。
【００２３】
図２は、第１の実施形態におけるＰＯＳシステム１が稼働している様子を表す平面図である。登録装置１０は、主として、顧客（以下「客」ともいう）の購入対象の商品を登録する登録処理を行う装置である。図２において、登録装置１０は、商品登録カウンタ１１に設置されている。店員（オペレータ。図２の符号Ｓ）は、登録装置１０を操作し、登録装置１０に登録処理を実行させる。なお、図示した登録装置１０の数は一例である。
【００２４】
登録装置１０は、買上商品（図２の符号Ｍ。なお、買上商品は１以上の商品）の精算処理を行う精算装置２０を、複数の精算装置２０−１、２０−２、…の中から決定することができる。例えば、第１登録装置１０−１は、第１登録装置１０−１で登録した買上商品の精算処理を行う精算装置２０として、第１精算装置２０−１か第２精算装置２０−２を決定することができる。第２登録装置１０−２は、第２登録装置１０−２で登録した買上商品の精算処理を行う精算装置２０として、第２精算装置２０−２か第３精算装置２０−３を決定することができる。例えば、登録装置１０は、店員の操作に基づいて精算処理を行う精算装置２０を決定する。
【００２５】
精算装置２０は、主として、登録装置１０によって登録された買上商品を精算する精算処理を行う装置である。精算装置２０は、登録装置１０から送信される商品の取引情報に基づいて客（買物客。図２の符号Ｃ）自らが操作して精算処理を行うものである。客は、登録装置１０における処理の完了後、精算装置２０の設置場所に移動し、精算装置２０を操作し、精算装置２０に精算処理を実行させる。なお、図示した精算装置２０の数は一例である。
【００２６】
登録装置１０は、登録処理において登録情報（取引情報）を生成する。精算装置２０は、登録装置１０において生成された登録情報を取得し、取得した登録情報を用いて精算処理を実行する。精算装置２０が登録情報を取得する態様、換言すれば、ＰＯＳシステム１において、登録情報を登録装置１０から精算装置２０に供給（出力）する態様には、大きく、精算装置２０を指定する態様と、お会計券を用いる態様とがある。また、お会計券には、取引番号を１次元コード化（バーコード化）して印刷したお会計券と、登録情報を２次元コード化（例えばＱＲコード（登録商標）化）して印刷したお会計券とがある。
【００２７】
（精算装置２０を指定する態様）
登録装置１０で精算処理を実行させる精算装置２０を指定（精算装置指定ボタンを押下）し、ＬＡＮ４０を介して指定先の精算装置２０に登録情報を供給する態様である。当該態様の場合、登録装置１０は、精算処理を実行させる精算装置２０を指定する入力を店員から受け付ける。なお、精算装置２０の指定は、商品の登録情報を精算装置２０において読み出されるようにする宣言の１つである。
【００２８】
登録装置１０は、店員の入力を受け付けた際に、精算装置に関する情報として、登録装置１０で登録された商品の精算を行う精算装置２０を検知する。店員の入力は、例えば、後に説明する精算装置指定ボタン「１０１レジ」や「１０２レジ」（図４（Ｂ）参照）の押下によって行われる。これらの精算装置指定ボタン「１０１レジ」「１０２レジ」が表示される店員用表示部１０５が精算装置に関する所定の検知を行う検知手段となる。また、ここでの精算装置に関する所定の検知は、登録装置１０で登録された商品の精算を行う精算装置２０についての検知である。登録装置１０で登録された商品の精算を行う精算装置２０は、複数の精算装置の中から選択して決定される。
【００２９】
登録装置１０は、精算処理を実行させる精算装置２０を指定する入力があったときに、ＬＡＮ４０を介して指定された精算装置２０に登録情報を送信する。登録装置１０は、後に説明する通信部１０９から登録情報を精算装置２０に送信する。通信部は、店員用表示部１０５により、登録装置１０で登録された商品の精算を行う精算装置２０についての検知がなされた精算装置２０で精算処理が行えるように登録情報を送信する送信手段である。これにより、登録情報は、登録装置１０から精算装置２０に供給される。なお、登録装置１０と精算装置２０は、直接、情報を送受信してもよいし、ストアコントローラ３０を介して、情報を送受信してもよい。即ち、登録装置１０は、ストアコントローラ３０を介して精算装置２０に登録情報を送信してもよいし、直接、精算装置２０に登録情報を送信してもよい。
【００３０】
また、登録装置１０は、精算処理を実行させる精算装置２０を指定する入力があったときに、登録情報を送信することに代えて、取引番号を送信するようにしてもよい。この場合には、以下の様にして、登録情報は、登録装置１０から精算装置２０に供給される。まず、登録装置１０は、精算処理を実行させる精算装置２０を指定する入力があったときに、ＬＡＮ４０を介して指定された精算装置２０に取引番号を送信する。登録装置１０から取引番号を受信した精算装置２０（指定された精算装置２０）は、例えば、所定の操作（例えば、画面タッチ）があったときに、取得した取引番号によって特定される登録情報を登録装置１０に要求する。要求情報（登録情報を要求する情報）を受信した登録装置１０は、精算装置２０からの要求に応じて該当する登録情報を精算装置２０に送信する。これにより、登録情報は、登録装置１０から精算装置２０に供給される。なお、登録装置１０と精算装置２０は、直接、情報を送受信してもよいし、ストアコントローラ３０を介して、情報を送受信してもよい。即ち、登録装置１０は、ストアコントローラ３０を介して精算装置２０に取引番号や登録情報を送信してもよいし、直接、精算装置２０に取引番号や登録情報を送信してもよい。また、精算装置２０は、ストアコントローラ３０を介して登録装置１０に要求情報を送信してもよいし、直接、登録装置１０に要求情報を送信してもよい。
【００３１】
（お会計券を用いる態様）
登録装置１０でお会計券を発行し、精算装置２０でお会計券上のコード情報を読み取らせることによって、登録情報を供給する態様である。当該態様の場合、登録装置１０は、お会計券を発行する旨の入力（お会計券発行ボタンの押下）を店員から受け付ける。なお、お会計券を発行する旨の入力は、商品の登録情報を精算装置２０において読み出されるようにする宣言の１つである。
【００３２】
なお、お会計券とは、ある取引の買上データ（登録情報）そのものや、取引（即ち、買上データ）を特定するための情報（取引番号）がコード化（例えば、１次元コード化や２次元コード化）されて印刷されているシートである。お会計券上のコードは精算装置２０のスキャナ等によって読み取られ、当該精算装置２０に精算すべき取引の買上データが読み出される。
【００３３】
振分装置５０は、主として、登録装置１０で登録された買上商品を、複数の精算装置２０の中の一つに振り分ける振分手段である。搬送装置６０は、登録装置１０によって登録された商品を登録装置１０から精算装置２０に向けて搬送する搬送手段である。搬送装置６０は、振分装置５０によって振り分けられた買上商品を精算装置２０付近まで搬送する。振分装置５０は、搬送装置６０上に設けられている。
【００３４】
振分装置５０及び搬送装置６０は、買上商品の振分及び搬送を行う際に、必要に応じて作動し、不必要時には停止している。なお、買上商品は、商品カゴ等に収容されていてもよい。つまり、振分装置５０及び搬送装置６０は、商品カゴ等に収容された状態の買上商品を、振分・搬送してもよいし、商品カゴに収容されていない状態の買上商品を、振分・搬送してもよい。商品カゴに収容されていない状態の買上商品を搬送する（買上商品のみを搬送する場合）、客同士の買上商品の紛れを防止するために、搬送装置に搭載される商品を仕切る仕切部材（バー）によって買上商品を仕切るようにしてもよい。
【００３５】
ＰＯＳシステム１では、第１登録装置１０−１で登録された買上商品については、第１精算装置２０−１か第２精算装置２０−２の何れか一方の精算装置２０において精算処理が実行される。つまり、第１振分装置５０−１は、第１登録装置１０−１で登録された買上商品を第１精算装置２０−１側か第２精算装置２０−２側の何れかに振り分ける。
【００３６】
第１振分装置５０−１は、第１登録装置１０−１が設置された商品登録カウンタ１１の端部と第１精算装置２０−１及び第２精算装置２０−２との間に設けられており、２本の誘導バーを備えている。例えば、第１振分装置５０−１は、買上商品を第１精算装置２０−１側に振り分ける場合、図２に実線で示すように、誘導バーを第１精算装置２０−１の方向に向ける。また、第１振分装置５０−１は、買上商品を第２精算装置２０−２側に振り分ける場合、図２に二点鎖線で示すように、誘導バーを第２精算装置２０−２の方向に向ける。これにより、第１振分装置５０−１は、第１登録装置１０−１で登録された買上商品を第１精算装置２０−１側か第２精算装置２０−２側の何れかに振り分ける。
【００３７】
ＰＯＳシステム１では、第２登録装置１０−２で登録された買上商品については、第２精算装置２０−２か第３精算装置２０−３の何れか一方の精算装置２０において精算処理が実行される。つまり、第１振分装置５０−１は、第２登録装置１０−２で登録された買上商品を第２精算装置２０−２側か第３精算装置２０−３側の何れかに振り分ける。
【００３８】
第２振分装置５０−２は、第２登録装置１０−２が設置された商品登録カウンタ１１の端部と第２精算装置２０−２及び第３精算装置２０−３との間に設けられており、第１登録装置１０−１と同様に２本の誘導バーを備えている。例えば、第２振分装置５０−２は、買上商品を第２精算装置２０−２側に振り分ける場合、図２に二点鎖線で示すように、誘導バーを第２精算装置２０−２の方向に向ける。また、第２振分装置５０−２は、買上商品を第３精算装置２０−３側に振り分ける場合、図２に実線で示すように、誘導バーを第３精算装置２０−３の方向に向ける。これにより、第２振分装置５０−２は、第２登録装置１０−２で登録された買上商品を第２精算装置２０−２側か第３精算装置２０−３側の何れかに振り分ける。
【００３９】
ＰＯＳシステム１では、第１振分装置５０−１によって第１精算装置２０−１側に振り分けられた買上商品については、第１精算装置２０−１付近まで搬送される。つまり、第１搬送装置６０−１は、第１振分装置５０−１によって第１精算装置２０−１側に振り分けられた買上商品を、第１振分装置５０−１の出口付近から第１精算装置２０−１付近まで搬送する。第１搬送装置６０−１（第２搬送装置６０−２、第３搬送装置６０−３も同様）は、複数のローラと図示しないモータを備えている。このモータが作動することにより、複数のローラが同方向に回転し、買上商品を搬送する。
【００４０】
ＰＯＳシステム１では、第１振分装置５０−１又は第２振分装置５０−２によって第２精算装置２０−２側に振り分けられた買上商品については、第２精算装置２０−２付近まで搬送される。つまり、第２搬送装置６０−２は、第１振分装置５０−１又は第２振分装置５０−２によって第２精算装置２０−２側に振り分けられた買上商品を、第２振分装置５０−２の出口付近から第２精算装置２０−２付近まで搬送する。
【００４１】
ＰＯＳシステム１では、第２振分装置５０−２によって第３精算装置２０−３側に振り分けられた買上商品については、第３精算装置２０−３付近まで搬送される。つまり、第３搬送装置６０−３は、第２振分装置５０−２によって第３精算装置２０−３側に振り分けられた買上商品を、第２振分装置５０−２の出口付近から第３精算装置２０−３付近まで搬送する。
【００４２】
なお、第１搬送装置６０−１〜第３搬送装置６０−３における複数のローラは、全てがモータによって駆動する駆動ローラであってもよいし、一部が駆動ローラであり、他の一部は従動する従動ローラであってもよい。また、第１搬送装置６０−１〜第３搬送装置６０−３は、モータを設けることなく、全てのローラが従動する従動ローラであり、客が買上商品を従動ローラ上で転がすことができるようにしてもよい。また、複数のローラに代えて、ベルトコンベア方式のベルトが設けられていてもよい。また、搬送装置は、ローラを設けられる形式でなく、例えばショッピングカートを誘導する軌道と、この軌道上を走行するカートによって形成されていてもよい。
【００４３】
接続搬送装置６１は、振分装置５０の下に設けられている。接続搬送装置６１は、登録装置１０が設置された商品登録カウンタ１１の端部と搬送装置６０の端部（入り口）との間を接続している。つまり、接続搬送装置６１は、振分装置５０によって振り分けられる買上商品を、振り分けられる区間において搬送する。
【００４４】
例えば、接続搬送装置６１は、第１登録装置１０−１が設置された商品登録カウンタ１１の端部と第１搬送装置６０−１の端部との間を接続しており、第１登録装置１０−１で登録され、第１振分装置５０−１によって第１精算装置２０−１側に振り分けられる買上商品を、該買上商品が振り分けられる区間（第１登録装置１０−１が設置された商品登録カウンタ１１の端部と第１搬送装置６０−１の端部）において搬送する。
【００４５】
また、接続搬送装置６１は、第１登録装置１０−１が設置された商品登録カウンタ１１の端部と第２搬送装置６０−２の端部との間を接続しており、第１登録装置１０−１で登録され、第１振分装置５０−１によって第２精算装置２０−２側に振り分けられる買上商品を、該買上商品が振り分けられる区間（第１登録装置１０−１が設置された商品登録カウンタ１１の端部と第２搬送装置６０−２の端部）において搬送する。
【００４６】
また、接続搬送装置６１は、第２登録装置１０−２が設置された商品登録カウンタ１１の端部と第２搬送装置６０−２の端部との間を接続しており、第２登録装置１０−２で登録され、第２振分装置５０−２によって第２精算装置２０−２側に振り分けられる買上商品を、該買上商品が振り分けられる区間（第２登録装置１０−２が設置された商品登録カウンタ１１の端部と第２搬送装置６０−２の端部）において搬送する。
【００４７】
また、接続搬送装置６１は、第２登録装置１０−２が設置された商品登録カウンタ１１の端部と第３搬送装置６０−３の端部との間を接続しており、第２登録装置１０−２で登録され、第２振分装置５０−２によって第３精算装置２０−３側に振り分けられる買上商品を、該買上商品が振り分けられる区間（第２登録装置１０−２が設置された商品登録カウンタ１１の端部と第３搬送装置６０−３の端部）において搬送する。
【００４８】
なお、接続搬送装置６１は、原則的には常時稼働しているが、客が極端に少ない時間などには、スイッチをＯＦＦすることによって停止されている。
【００４９】
図３は、第１の実施形態（第２の実施形態におけるＰＯＳシステム２（後述）も同様）における登録装置１０の構成例を表すブロック図である。登録装置１０は、図３に示すように、ＣＰＵ１０１と、ＲＯＭ１０２と、ＲＡＭ１０３と、スキャナ部１０４と、店員用表示部１０５と、客用表示部１０６と、ハードディスク１０７と、店員用操作部１０８と、通信部１０９と、ブザー１１０と、印刷部１１１と、バス１１２とを備える。これらは、バス１１２を介して互いに接続されている。なお、ブザー１１０に代えて又は加えて音声を出力可能な構成（音源部）を備えるようにしてもよい。
【００５０】
ＣＰＵ１０１は、ＲＯＭ１０２に記憶されているプログラムをＲＡＭ１０３に展開し、実行することにより、登録装置１０全体を制御する。詳細は後述する。
【００５１】
ＲＯＭ１０２は、種々の情報を記憶する。例えば、ＲＯＭ１０２は、ＣＰＵ１０１によって実行されるプログラムや、自装置の装置番号（装置識別情報）などを記憶する。
【００５２】
ＲＡＭ１０３は、種々の情報を一時記憶する。例えば、ＲＡＭ１０３は、ＲＯＭ１０２から読み出されたプログラムや、当該プログラムの実行などによって取得又は生成される情報（例えば、各種の判定結果、登録情報、読取情報）を一時記憶する。なお、ＲＡＭ１０３は、商品ファイルを一時記憶してもよい。
【００５３】
スキャナ部１０４は、商品に付されたバーコードを光学的に読み取って当該商品の商品コードを取得（コード化されていた商品コードを逆変換して取得）する。スキャナ部１０４は、取得した商品コードをＣＰＵ１０１に通知する。また、スキャナ部１０４は、店員の名札等に付されたバーコードを光学的に読み取って当該店員を識別する担当者識別情報（例えば、担当者コード、担当者名）を取得する。スキャナ部１０４は、取得した担当者識別情報をＣＰＵ１０１に通知する。
【００５４】
店員用表示部１０５は、店員に情報を表示する、例えば、液晶タッチディスプレイ装置である。店員用表示部１０５は、店員用操作部１０８が備える操作ボタンと同様の機能を有する各種の操作ボタンを表示してもよい。また、店員用表示部１０５は、所定商品（例えば、生鮮食料品）を登録するためのプリセットボタンを表示してもよい。店員用表示部１０５において店員の操作があった場合には、操作信号がＣＰＵ１０１に通知される。なお、店員用表示部１０５が備える〇〇ボタン（夫々のボタン）は、夫々〇〇キーとも称される。
【００５５】
客用表示部１０６は、客に情報を表示する、例えば、液晶ディスプレイ装置である。客用表示部１０６は、店員用表示部１０５と同様、液晶タッチディスプレイ装置であってもよい。例えば、客用表示部１０６は、メッセージ（例えば、公共料金の金額確認）に対する操作を受け付ける。客用表示部１０６において客の操作があった場合には、操作信号がＣＰＵ１０１に通知される。
【００５６】
ハードディスク１０７は、種々の情報を記憶する。例えば、ハードディスク１０７は、ストアコントローラ３０から送信され、通信部１０９によって受信された商品ファイルを記憶する。なお、ＲＯＭ１０２に代えて、ハードディスク１０７が、上述のプログラムを記憶してもよい。
【００５７】
店員用操作部１０８は、各種の操作ボタンを備える。例えば、店員用操作部１０８は、数字ボタン、小計ボタン、精算装置指定ボタン、お会計券発行ボタン、確認ボタン、取消ボタンなどを備える。また、店員用操作部１０８は、上述のプリセットボタンを備えていてもよい。店員用操作部１０８において、店員の操作があった場合には、操作信号がＣＰＵ１０１に通知される。なお、店員用操作部１０８が備える〇〇ボタン（夫々のボタン）は、夫々〇〇キーとも称される。
【００５８】
通信部１０９は、ＬＡＮ４０を介して他の装置と通信するための通信インタフェースである。通信部１０９は、ＬＡＮ４０を介して精算装置２０やストアコントローラ３０に登録情報等の各種情報を送信する。ブザー１１０は、確認音や警告音などを発生させるための音発生部である。印刷部１１１は、お会計券などの媒体を印刷、発行する。
【００５９】
ＣＰＵ１０１は、操作内容や処理の進行状況に応じて表示内容を制御する。ＣＰＵ１０１は、本実施例においては、例えば、商品を登録しようとするときには登録画面（図４（Ａ）参照）を表示し、商品の登録を完了しようとするときには小計画面（図４（Ｂ）参照）を表示するように制御する。なお、図４（Ａ）の登録画面、図４（Ｂ）の小計画面の詳細は後述する。
【００６０】
ＣＰＵ１０１は、スキャナ部１０４を介して商品コードを取得した場合（商品に付されたバーコードがスキャナ部１０４によって読み取られた場合）、ハードディスク１０７に記憶されている商品ファイルを参照し、買上商品の商品名や販売価格を特定し、個々の買上商品の商品名や販売価格や購入数をＲＡＭ１０３に一時記憶する。つまり、登録処理を実行する。プリセットボタンが押下（タッチ）された場合も同様である。
【００６１】
ＣＰＵ１０１は、スキャナ部１０４を介して担当者識別情報を取得した場合（名札等に付されたバーコードがスキャナ部１０４によって読み取られた場合）、ＲＡＭ１０３に担当者識別情報を一時記憶する。
【００６２】
ＣＰＵ１０１は、登録情報を生成する。例えば、ＣＰＵ１０１は、宣言の後に（例えば、精算装置指定ボタンの押下後、お会計券発行ボタンの押下後）に、ＲＡＭ１０３に一時記憶されている情報や、ＲＯＭ１０２に記憶されている情報などに基づいて登録情報（取引番号及び明細情報）を生成する。
【００６３】
ＣＰＵ１０１は、振分装置５０や搬送装置６０にて参照される搬送制御情報を生成する。具体的には、精算処理を実行する精算装置２０が特定された場合（精算装置指定ボタンが押下された旨の操作信号を受信した場合）に搬送制御情報を生成する。なお、振分装置５０は、搬送制御情報を用いて振分処理を実行する。また、搬送装置６０は、搬送制御情報を用いて搬送処理を実行する。
【００６４】
なお、お会計券を用いる態様（登録装置１０がお会計券を発行する態様）の場合、お会計券の発行時には一般に精算処理を実行する精算装置２０が特定されていないため、精算装置２０（お会計券を読み取った精算装置２０、即ち、精算処理を実行する精算装置２０）が搬送制御情報を生成する。
【００６５】
以下、搬送制御情報の生成、供給に関して、精算装置２０を指定する態様の場合とお会計券を用いる態様の場合とに分けて説明する。
【００６６】
（精算装置２０を指定する態様の場合）
登録装置１０は、店員によって精算装置２０が指定された場合（精算装置指定ボタンが押下された場合）、当該精算装置２０（当該精算装置指定ボタンに対応する精算装置２０）側に買上商品を搬送させるための搬送制御情報を生成する。
【００６７】
登録装置１０によって生成された搬送制御情報は、振分装置５０及び搬送装置６０に供給される。登録装置１０から振分装置５０及び搬送装置６０に搬送制御情報を供給する態様としては、種々の態様が考えられる。
【００６８】
例えば、登録装置１０は、振分装置５０及び搬送装置６０の両方に搬送制御情報を送信（ストアコントローラ３０を介して振分装置５０及び搬送装置６０に搬送制御情報を送信、又は、直接、振分装置５０及び搬送装置６０に搬送制御情報を送信）してもよい。また、登録装置１０は、振分装置５０に搬送制御情報を送信（ストアコントローラ３０を介して振分装置５０に搬送制御情報を送信、又は、直接、振分装置５０に搬送制御情報を送信）し、振分装置５０が搬送装置６０に搬送制御情報を送信してもよい。また、登録装置１０は、搬送装置６０に搬送制御情報を送信（ストアコントローラ３０を介して搬送装置６０に搬送制御情報を送信し、又は、直接、搬送装置６０に搬送制御情報を送信）し、搬送装置６０が振分装置５０に搬送制御情報を送信してもよい。
【００６９】
また、登録装置１０は、登録情報とともに搬送制御情報を精算装置２０（店員によって指定された精算装置２０）に送信（ストアコントローラ３０を介して登録情報とともに搬送制御情報を送信、又は、直接、登録情報とともに搬送制御情報を送信）してもよい。つまり、振分装置５０及び搬送装置６０は、精算装置２０を経由して搬送制御情報を取得してもよい。
【００７０】
なお、登録装置１０は、情報の送信先を統一するため、ストアコントローラ３０を介して登録情報を送信（店員によって指定された精算装置２０に登録情報を送信）する場合には、ストアコントローラ３０を介して搬送制御情報を送信（振分装置５０、搬送装置６０のうちの少なくとも一方に搬送制御情報を送信）するようにしてもよい。但し、ストアコントローラ３０を介して登録情報を送信する場合であっても、ストアコントローラ３０を介して搬送制御情報を送信しなくてもよい。
【００７１】
なお、登録装置１０は、他の装置への搬送制御情報の送信に加えて、搬送制御情報をＲＡＭ１０３に一時記憶してもよい。
【００７２】
（お会計券を用いる態様の場合）
精算装置２０は、登録装置１０において発行されたお会計券を読み取った場合（客が当該精算装置２０においてお会計券を読み取らせた場合）、当該精算装置２０（客がお会計券を読み取らせた精算装置２０）において買上商品の精算処理を実行させるための搬送制御情報を生成する。
【００７３】
精算装置２０によって生成された搬送制御情報は、振分装置５０及び搬送装置６０に供給される。精算装置２０から振分装置５０及び搬送装置６０に搬送制御情報を供給する態様としては、種々の態様が考えられる。
【００７４】
例えば、精算装置２０は、振分装置５０及び搬送装置６０の両方に搬送制御情報を送信（ストアコントローラ３０を介して振分装置５０及び搬送装置６０に搬送制御情報を送信、又は、直接、振分装置５０及び搬送装置６０に搬送制御情報を送信）してもよい。また、精算装置２０は、振分装置５０に搬送制御情報を送信（ストアコントローラ３０を介して振分装置５０に搬送制御情報を送信、又は、直接、振分装置５０に搬送制御情報を送信）し、振分装置５０が搬送装置６０に搬送制御情報を送信してもよい。また、精算装置２０は、搬送装置６０に搬送制御情報を送信（ストアコントローラ３０を介して搬送装置６０に搬送制御情報を送信し、又は、直接、搬送装置６０に搬送制御情報を送信）し、搬送装置６０が振分装置５０に搬送制御情報を送信してもよい。
【００７５】
また、精算装置２０は、お会計券を発行した登録装置１０（即ち買上商品を登録した登録装置１０）に搬送制御情報を送信（ストアコントローラ３０を介して搬送制御情報を送信、又は、直接、搬送制御情報を送信）してもよい。つまり、振分装置５０及び搬送装置６０は、登録装置１０を経由して搬送制御情報を取得してもよい。
【００７６】
なお、精算装置２０は、情報の送信先を統一するため、お会計券の読み取り後に、登録情報を要求する要求情報を登録装置１０に送信（ストアコントローラ３０を介して要求情報を送信、又は、直接、要求情報を送信）する場合には、要求情報とともに（又は、要求情報とは別個に）、搬送制御情報を登録装置１０に送信（ストアコントローラ３０を介して要求情報を送信、又は、直接、要求情報を送信）するようにしてもよい。但し、要求情報を登録装置１０に送信する場合であっても、登録装置１０に搬送制御情報を送信しなくてもよい。
【００７７】
また、ＣＰＵ１０１は、本実施例においては、上記以外にも、操作内容や処理の進行状況に応じて各種の制御を実行可能である。
【００７８】
図４は、登録装置１０の表示例である。図４（Ａ）は登録画面の一例である。図４（Ｂ）は小計画面の一例である。図４（Ａ）に例示した登録画面は、商品を登録するときに表示される画面である。画面左上は、今（最後に）登録した商品の商品名や販売価格を表示する領域である。図４（Ａ）に例示した登録画面においては、商品名「卵（Ｍ）」、内税売「￥１８０」が表示されている。画面左下（左中央）は、当該客（一取引）について登録した商品について一欄表示する領域である。図４（Ａ）に例示した登録画面においては、缶ビール、アスパラ、卵（Ｍ）が夫々の販売価格とともに表示されている。画面右上は、当該客について現在の登録迄の合計を表示する領域である。図４（Ａ）に例示した登録画面においては、合計の買上点数として「３」、合計の買上金額として「￥５６３」が表示されている。画面右下（右中央）は、プリセットボタンを配置する領域である。図４（Ａ）に例示した登録画面においてはタブ「野菜」におけるプリセットボタン「きゅうり」「にんじん」などが配置されている。なお、図４（Ａ）に例示した登録画面には、店員用操作部１０８の小計ボタンが配置されていないが、登録画面に小計ボタンを配置してもよい。
【００７９】
図４（Ｂ）に例示した小計画面は、当該客（一取引）について商品の登録を完了しようとするときに表示される画面である。例えば、小計画面は、登録画面の表示中に小計ボタンが押下された場合に表示される。画面左側は、当該客（一取引）について登録した商品について一欄表示する領域である。図４（Ｂ）に例示した小計画面においては、缶ビール、アスパラ、卵（Ｍ）が夫々の販売価格とともに表示されている。画面右側は、当該客の合計を表示する領域である。図４（Ｂ）に例示した小計画面においては、合計の買上点数として「３」、合計の買上金額として「￥５６３」が表示されている。
【００８０】
画面下部の符号Ａは、精算装置指定ボタンである。精算装置指定ボタン「１０１レジ」は第１精算装置２０−１に対応し、精算装置指定ボタン「１０２レジ」は第２精算装置２０−２に対応している。店員は、当該取引の精算処理を第１精算装置２０−１（１０１レジ）にて実行させるようとするときは精算装置指定ボタン「１０１レジ」を押下し、当該取引の精算処理を第２精算装置２０−２（１０２レジ）にて実行させるようとするときは精算装置指定ボタン「１０２レジ」を押下する。換言すれば、精算装置指定ボタンによって精算処理を実行させる精算装置２０が指定される。なお、図４（Ｂ）は、第１登録装置１０−１に表示される小計画面の一例であるため、第１精算装置２０−１（１０１レジ）に対応する精算装置指定ボタン「１０１レジ」と、第２精算装置２０−２（１０２レジ）に対応する精算装置指定ボタン「１０２レジ」とが配置されているが、第２登録装置１０−２に表示される小計画面（非図示）には、第２精算装置２０−２（１０２レジ）に対応する精算装置指定ボタン「１０２レジ」と、第３精算装置２０−３（１０３レジ）に対応する精算装置指定ボタン「１０３レジ」とが配置されている。なお、店員用操作部１０８が精算装置指定ボタンを備える場合には、店員用操作部１０８が備える精算装置指定ボタンによって精算装置２０が指定される。
【００８１】
画面下部の符号Ｄは、お会計券発行ボタンである。店員は、当該取引の精算処理を、お会計券を読み取った精算装置２０にて実行させるようとするときはお会計券発行ボタンを押下する。即ち、お会計券発行ボタンによってお会計券が発行される。なお、店員用操作部１０８としてお会計券発行キーを備える場合には、お会計券発行キーによってお会計券が発行されるようにしてもよい。
【００８２】
図４（Ｂ）に例示した小計画面では、精算装置指定ボタン（符号Ａ）や、お会計券発行ボタン（符号Ｄ）が、小計画面の購入商品の商品名が表示される欄や、買上点数、合計金額が表示される欄（買上商品に関する情報を表示する欄）に隣接して配置されている。このように、精算装置指定ボタンやお会計券発行ボタンが、買上商品に関する情報を表示する欄と隣接して表示されているので、精算装置指定ボタンやお会計券発行ボタンを押すことを店員に促すことができ、それらを押さずに次のお客の商品登録をすることを極力回避することができる。なお、図４（Ｂ）では、購入商品の商品名が表示される欄と、合計金額を表示する欄に隣接している例を示したが、これに限らず、購入商品の商品名が表示される欄、買上点数が表示される欄、合計金額が表示される欄の少なくとも１つの欄のみに隣接するようにしてもよい。つまり、精算装置指定ボタンやお会計券発行ボタンなどを、商品名、点数、合計金額などのように店員が注目する、買上商品に関する情報を表示する欄の何れか１つ、又は複数と隣接させて配置することで、精算装置指定ボタンやお会計券発行ボタンを押すことを店員に促すことができる。
【００８３】
画面下部の符号Ｅは、登録画面ボタンである。店員は、当該取引として商品を登録するときは登録画面ボタンを押下する。例えば、客Ａに対する小計画面を表示しているときに客Ａが購入する商品として商品Ｘを登録するときには、店員は、一旦、小計画面から抜けて登録画面に戻すために登録画面ボタンを押下する。即ち、登録画面ボタンが押下された場合には登録画面が表示される。なお、店員用操作部１０８として登録画面ボタンに相当するキー（登録画面キー）が存在する場合には、当該登録画面キーの押下によって登録画面が表示されるようにしてもよい。
【００８４】
図５は、第１の実施形態における処理の流れを表すフローチャートである。具体的には、図５のフローチャートは、精算装置２０を指定する態様における、登録装置１０、振分装置５０、搬送装置６０の動作の一例を示している。ステップＳ１０〜Ｓ１９は登録装置１０の動作を示し、ステップＳ２０、Ｓ２１は振分装置５０の動作を示し、ステップＳ３０、Ｓ３１は搬送装置６０の動作を示している。
【００８５】
なお、上述したように、登録装置１０から振分装置５０及び搬送装置６０に搬送制御情報を供給する態様としては種々の態様が考えられるが、図５のフローチャートでは、登録装置１０から振分装置５０及び搬送装置６０の両方に、直接、搬送制御情報を直接するものとする。
【００８６】
ステップＳ１０：登録画面において、商品がスキャナ部１０４によってスキャン、又は、プリセットボタンによって選択されたか否かを判断する。スキャン又は選択された場合にはステップＳ１１に進む。スキャンも選択もされていない場合にはステップＳ１２に進む。
ステップＳ１１：スキャン又は選択された商品を登録する。
ステップＳ１２：小計ボタンが押下されたか否かを判断する。小計ボタンが押下された場合にはステップＳ１３に進む。押下されていない場合にはステップＳ１０に戻る。
【００８７】
ステップＳ１３：登録画面に代えて小計画面を表示する。
ステップＳ１４：小計画面において、精算装置２０が指定されたか否か（精算装置指定ボタンが押下されたか否か）を判断する。精算装置２０が指定された場合にはステップＳ１５に進む。指定されていない場合にはステップＳ１４の処理を繰り返す。
【００８８】
ステップＳ１５：指定された精算装置２０側に買上商品を搬送させるための搬送制御情報を生成する。
ステップＳ１６：搬送制御情報を振分装置５０及び搬送装置６０に送信する。
【００８９】
ステップＳ１７：登録情報を生成する。
ステップＳ１８：指定された精算装置２０に登録情報を送信する。
ステップＳ１９：小計画面に代えて登録画面を表示する。
【００９０】
ステップＳ２０：登録装置１０から搬送制御情報を受信する。
ステップＳ２１：搬送制御情報に基づいて誘導バーを駆動させる。
【００９１】
ステップＳ３０：登録装置１０から搬送制御情報を受信する。
ステップＳ３１：搬送制御情報に基づいてモータによりローラを回転させる。
そして、図５のフローチャートは終了する。
【００９２】
なお、図５のフローチャートでは、搬送制御情報を生成、送信した後に、登録情報を生成、送信しているが、登録情報を生成、送信した後に、搬送制御情報を生成、送信してもよい。また、搬送制御情報や登録情報を生成した後に、搬送制御情報や登録情報を送信してもよい。図７のフローチャートにおいても同様である。
【００９３】
以上、第１の実施形態のＰＯＳシステム１によれば、登録装置１０側から複数の精算装置２０のうち精算処理を行う一の精算装置２０側に効率的に商品を搬送することができる。つまり、登録装置１０において精算装置２０を指定することにより、当該精算装置２０において精算処理を実行させるための搬送制御情報が振分装置５０及び搬送装置６０に供給される。そして、振分装置５０は当該搬送制御情報を用いて適切な振分処理を実行し、搬送装置６０は当該搬送制御情報を用いて適切な搬送処理を実行する。このため、複数台の精算装置２０のうちの何れかの精算装置２０において精算処理を実行する態様であっても、登録装置１０において精算装置２０を指定さえすれば、振分装置５０及び搬送装置６０を適切に動作させることができる。
【００９４】
また、第１の実施形態のＰＯＳシステム１によれば、客は、自分自身で、店員によって指示された精算装置２０（店員によって指定された精算装置２０）側に買上商品を運ぶ必要が無いので、客にとっても負担が少なく便利である。特に、買上商品が多かったり大きかったり重かったりした場合には、自分自身で運ぶと大変であるため、自動的に搬送されると非常に便利である。
【００９５】
また、第１の実施形態のＰＯＳシステム１によれば、客は、自身の買上商品の搬送先（又は搬送される様子）を見れば、店員によって指示された精算装置２０が何れの精算装置２０であるか（精算処理をすべき精算装置２０はどの精算装置２０であるか）を視覚的に認識できる。従って、客が（店員も）、精算処理をすべき精算装置２０を誤認することが略なくなる。
【００９６】
［第２の実施形態］
続いて、本発明の第２の実施形態について図面を参照して説明する。第２の実施形態におけるＰＯＳシステム２の構成は、図１に示した第１の実施形態におけるＰＯＳシステム１と比較して、図６に示す指定スイッチ７０が設けられている点において主に異なっており、その他の点は、おおよそ共通する。また、第２の実施形態における登録装置の構成例は、図３に示したＰＯＳシステム１の登録装置１０の構成例と同様である。
【００９７】
図６は、第２の実施形態におけるＰＯＳシステム２が稼働している様子を表す平面図である。第２の実施形態におけるＰＯＳシステム２では、商品登録カウンタ１１における客が位置する側の面に、指定スイッチ７０−１、７０−２が設けられている点で、第１の実施形態と異なっている。なお、指定スイッチ７０−１、７０−２は、同一の構成であるため、特に個々を区別しない場合には、指定スイッチ７０と総称する。指定スイッチ７０は、図１に示すＬＡＮ４０に接続されている。
【００９８】
第１指定スイッチ７０−１は、第１登録装置１０−１が設置された商品登録カウンタ１１における客が通過する側の側面に設けられている。第２指定スイッチ７０−２は、第２登録装置１０−２が設置された商品登録カウンタ１１における客が通過する側の側面に設けられている。
【００９９】
第１指定スイッチ７０−１は、Ｎｏ１ボタン７１ＡとＮｏ２ボタン７１Ｂとを備える。
第２指定スイッチ７０−２は、Ｎｏ２ボタン７１ＣとＮｏ３ボタン７１Ｄとを備える。
Ｎｏ１ボタン７１Ａは、第１精算装置２０−１に対応する。Ｎｏ２ボタン７１Ｂ及びＮｏ２ボタン７１Ｃは、第２精算装置２０−２に対応する。Ｎｏ３ボタン７１Ｄは第３精算装置２０−３に対応する。なお、Ｎｏ１ボタン７１Ａ、Ｎｏ２ボタン７１Ｂ、Ｎｏ２ボタン７１Ｃ、Ｎｏ３ボタン７１Ｄの個々を区別しない場合には、Ｎｏボタン７１と総称する。
【０１００】
指定スイッチ７０は、客によってＮｏボタン７１が押下された場合、Ｎｏボタン７１の押下情報を登録装置１０に送信（ストアコントローラ３０を介して押下情報を送信、又は、直接、押下情報を送信）する。具体的には、第１指定スイッチ７０−１は、Ｎｏ１ボタン７１Ａが押下された場合にはＮｏ１ボタン７１Ａが押下された旨の情報を登録装置１０に送信し、Ｎｏ２ボタン７１Ｂが押下された場合にはＮｏ２ボタン７１Ｂが押下された旨の情報を登録装置１０に送信する。また、第２指定スイッチ７０−２は、Ｎｏ２ボタン７１Ｃが押下された場合にはＮｏ２ボタン７１Ｃが押下された旨の情報を登録装置１０に送信し、Ｎｏ３ボタン７１Ｄが押下された場合にはＮｏ３ボタン７１Ｄが押下された旨の情報を登録装置１０に送信する。
【０１０１】
登録装置１０は、指定スイッチ７０から押下情報を受信することにより、上述の第１の実施形態において、精算装置指定ボタンが押下された場合に実行される処理と同様の処理を実行する。具体的には、第１登録装置１０−１は、第１指定スイッチ７０−１からＮｏ１ボタン７１Ａが押下された旨の情報を受信した場合には精算装置指定ボタン「１０１レジ」が指定された場合に実行される処理と同様の処理を実行し、第１指定スイッチ７０−１からＮｏ２ボタン７１Ｂが押下された旨の情報を受信した場合には精算装置指定ボタン「１０２レジ」が指定された場合に実行される処理と同様の処理を実行する。また、第２登録装置１０−２は、第２指定スイッチ７０−２からＮｏ２ボタン７１Ｃが押下された旨の情報を受信した場合には精算装置指定ボタン「１０２レジ」が指定された場合に実行される処理と同様の処理を実行し、第２指定スイッチ７０−２からＮｏ３ボタン７１Ｄが押下された旨の情報を受信した場合には精算装置指定ボタン「１０３レジ」が指定された場合に実行される処理と同様の処理を実行する。
【０１０２】
つまり、客によってＮｏボタン７１が押下された場合、指定スイッチ７０は、Ｎｏボタン７１の押下情報を登録装置１０に送信する。一方、押下情報を受信した登録装置１０は、押下情報によって示される精算装置２０側に買上商品を搬送するための搬送制御情報を生成し、振分装置５０及び搬送装置６０に供給するとともに、押下情報によって示される精算装置２０に登録情報を送信する。
【０１０３】
図７は、第２の実施形態における処理の流れを表すフローチャートである。具体的には、図７のフローチャートは、精算装置２０を指定する態様における、登録装置１０、振分装置５０、搬送装置６０の動作の一例を示している。ステップＳ１１０〜Ｓ１１９は登録装置１０の動作を示し、ステップＳ１２０，Ｓ１２１は振分装置５０の動作を示し、ステップＳ１３０，Ｓ１３１は搬送装置６０の動作を示している。
【０１０４】
なお、図７のステップＳ１１０〜Ｓ１１３、Ｓ１１５〜Ｓ１１９の各処理は、図５のステップＳ１０〜Ｓ１３、Ｓ１５〜Ｓ１９の各処理と同様であるため、説明を省略する。図７のステップＳ１２０、Ｓ１２１の各処理は、図５のステップＳ２０、Ｓ２１の各処理と同様であるため、説明を省略する。図７のステップＳ１３０、Ｓ１３１の各処理は、図５のステップＳ３０、Ｓ３１の各処理と同様であるため、説明を省略する。
【０１０５】
ステップＳ１１４：小計画面において、指定スイッチ７０から押下情報を受信したか否か（Ｎｏボタン７１が押下されたか否か）を判断する。指定スイッチ７０から押下情報を受信した場合にはステップＳ１１５に進む。受信していない場合にはステップＳ１１４の処理を繰り返す。
【０１０６】
以上、第２の実施形態のＰＯＳシステム２によれば、登録装置１０側から複数の精算装置２０のうち精算処理を行う一の精算装置２０側に効率的に商品を搬送することができる。つまり、指定スイッチ７０においてＮｏボタン７１を押下することにより、当該Ｎｏボタン７１に対応する押下情報が登録装置１０に送信される。押下情報を受信した登録装置１０は、第１の実施形態の登録装置１０において精算装置２０が指定された場合と同様、精算装置２０において精算処理を実行させるための搬送制御情報が振分装置５０及び搬送装置６０に供給される。このため、複数台の精算装置２０のうちの何れかの精算装置２０において精算処理を実行する態様であっても、指定スイッチ７０においてＮｏボタン７１を押下さえすれば、振分装置５０及び搬送装置６０を適切に動作させることができる。
【０１０７】
また、第２の実施形態のＰＯＳシステム２によれば、客は、自分自身で、精算装置２０（自身が指定した精算装置２０）側に買上商品を運ぶ必要が無いので、客にとっても負担が少なく便利である。特に、買上商品が多かったり大きかったり重かったりした場合には、自分自身で運ぶと大変であるため、自動的に搬送されると非常に便利である。
【０１０８】
また、第２の実施形態のＰＯＳシステム２によれば、客は、自身の買上商品の搬送先（又は搬送される様子）を見れば、自身が指定した精算装置２０が何れの精算装置２０であるか（精算処理をすべき精算装置２０はどの精算装置２０であるか）を視覚的に認識できる。従って、客が（店員も）、精算処理をすべき精算装置２０を誤認することが略なくなる。
【０１０９】
また、第２の実施形態のＰＯＳシステム２によれば、指定スイッチ７０を客自身が操作する。従って、客が、精算処理をすべき精算装置２０を誤認することが略なくなる。
【０１１０】
なお、第２の実施形態では、指定スイッチ７０がＮｏボタン７１の押下情報を登録装置１０に送信する態様について説明したが、指定スイッチ７０がＮｏボタン７１の押下情報を振分装置５０及び搬送装置６０に送信（ストアコントローラ３０を介して押下情報を送信、又は、直接、押下情報を送信）してもよい。
【０１１１】
指定スイッチ７０がＮｏボタン７１の押下情報を振分装置５０及び搬送装置６０に送信する態様の場合、振分装置５０及び搬送装置６０は押下情報に基づいて動作する。一例として、振分装置５０−１は、第１指定スイッチ７０−１からＮｏ１ボタン７１Ａが押下された旨の押下情報を受信した場合には買上商品を第１精算装置２０−１側に振り分けるように動作し、第１指定スイッチ７０−１からＮｏ２ボタン７１Ｂが押下された旨の押下情報を受信した場合には買上商品を第２精算装置２０−２側に振り分けるように動作すればよい。
【０１１２】
なお、Ｎｏボタン７１の押下情報を受信した登録装置１０は、押下情報によって示される精算装置２０がどの精算装置２０であるかが分るような報知を行うようにしてもよい。例えば、第１登録装置１０−１は、第１指定スイッチ７０−１からＮｏ１ボタン７１Ａが押下された旨の押下情報を受信した場合には第１精算装置２０−１に対応する精算装置指定ボタン「１０１レジ」を特別な態様（点滅、通常とは異なる色等）で表示し、第１指定スイッチ７０−１からＮｏ２ボタン７１Ｂが押下された旨の押下情報を受信した場合には第２精算装置２０−２に対応する精算装置指定ボタン「１０２レジ」を特別な態様で表示してもよい。また例えば、第１登録装置１０−１は、第１指定スイッチ７０−１からＮｏ１ボタン７１Ａが押下された旨の押下情報を受信した場合には第１精算装置２０−１が指定（選択）された旨の小画面（ポップアップ画面）を表示し、第１指定スイッチ７０−１からＮｏ２ボタン７１Ｂが押下された旨の押下情報を受信した場合には第２精算装置２０−２が指定された旨の小画面（ポップアップ画面）を表示してもよい。また、登録装置１０は、どの精算装置２０であるかが分るような音声を出力してもよい。
【０１１３】
なお、指定スイッチ７０がＮｏボタン７１の押下情報を振分装置５０及び搬送装置６０に送信する態様の場合であっても、指定スイッチ７０はＮｏボタン７１の押下情報を登録装置１０に送信してもよい。つまり、指定スイッチ７０は、Ｎｏボタン７１の押下情報を、登録装置１０、振分装置５０及び搬送装置６０に送信してもよい。つまり、登録装置１０は、受信した押下情報に基づいて登録情報の送信先を決定してもよい。
【０１１４】
以上、本発明の実施形態（第１の実施形態、第２の実施形態）について図面を参照して詳述したが、具体的な構成はこの実施形態に限られるものではなく、この発明の要旨を逸脱しない範囲の設計等も含まれる。
【０１１５】
例えば、上記の実施形態（第１の実施形態、第２の実施形態）においては、搬送装置６０の他に接続搬送装置６１が設けられているが、接続搬送装置６１が設けられていなくてもよい。また、搬送装置６０と接続搬送装置６１は、いずれも複数のローラを備える形式の搬送装置であるが、互いに異なる形式の搬送装置、例えば、搬送装置６０はベルトコンベア式であり、接続搬送装置６１は、複数のローラを備える形式であってもよい。
【０１１６】
また、上記の実施形態（第１の実施形態、第２の実施形態）では、振分装置として、２本の誘導バーを有するものを用いているが、他の形式の振分装置としてもよい。例えば、複数の精算装置２０のそれぞれに対して１本道となる搬送手段（複数のローラやベルトなど）を設けておき、店員がいずれの搬送手段に買上商品を搭載させるかによって商品を振り分けてもよい。この場合、複数の搬送手段が振分手段となる。また、振分装置５０は、登録装置１０から送信される搬送制御情報に基づいて作動する、いわば自動式であるが、店員等の人手によって作動する手動式であってもよい。
【０１１７】
また、第２の実施形態では、指定スイッチ７０を客が指定することによって、登録装置１０で登録された買上商品の精算処理を実行する精算装置２０が決定されるが、他の態様で決定されてもよい。例えば、精算装置２０に搬送される買上商品を検出する商品センサを設けておき、振分装置５０では、空きのある精算装置２０に買上商品を振り分けるなど適宜の態様で買上商品を振り分けるようにしてもよい。この場合、商品センサの検出結果（即ち、商品の搬送先）を示す情報を登録装置１０に送信し、登録装置１０は、登録情報を送信する精算装置２０を特定してもよい。
【０１１８】
また、上記の実施形態（第１の実施形態、第２の実施形態）では、振分装置５０と搬送装置６０と接続搬送装置６１とは夫々別体であるが、振分装置５０、搬送装置６０、接続搬送装置６１の３つのうち２つ又は３つが一体的に構成されていてもよい。
【０１１９】
また、上記の実施形態（第１の実施形態、第２の実施形態）では、１台の登録装置１０で登録した買上商品を２台の精算装置２０のうちの何れかに振り分けるが、振分先が３台以上であってもよい。
【０１２０】
＜変形例＞
以下、精算装置２０の指定等に関する変形例について説明する。
【０１２１】
［第１変形例］
なお、上記実施形態において、複数の精算装置２０のうちから精算処理を実行させる精算装置２０を指定する態様としては、精算処理を実行させる精算装置２０を、店員が登録装置１０にて指定する態様（第１の指定態様）と、客に手渡しされるお会計券を登録装置１０から発行させ、店員から手渡しされたお会計券を、客が１つの精算装置２０に読み取らせる態様（第２の指定態様）とを挙げている。しかながら、精算装置２０を指定する態様としては、上記の態様に限定されない。例えば、以下の第３の指定態様から第７の指定態様のように精算装置２０が指定されてもよい。
【０１２２】
第３の指定態様として、商品登録の完了に応じて店員用表示部１０５に表示された送信ボタン（精算装置指定ボタン「１０１レジ」「１０２レジ」）に対して行われた操作に応じて（あるいは商品登録の完了を宣言するような操作であってもよい）、登録装置１０が、例えば精算装置２０に状態の問合せを行って精算処理が可能な（例えば、障害が発生しておらず、使用中でもない）精算装置２０を認識し、精算処理が可能な精算装置２０の中から精算処理を行う精算装置２０を指定するようにしてもよい。この場合には、精算処理が可能な精算装置２０の中からランダムに精算処理を行う精算装置２０を指定してもよいし、所定の規則に従って、例えば登録装置１０から一番近い位置にある精算装置２０を決定するようにしてもよい。そして、登録装置１０は、決定した精算装置２０に精算情報を送信して精算処理の実行を指示するようにしてもよい。
【０１２３】
第４の指定態様として、精算処理を行う精算装置２０の指定を行う前に、予め精算装置２０について精算処理の優先順位を設定しておいてもよい。また、優先順位を指定した上で、商品登録の完了に応じて、店員用表示部１０５に精算装置２０への精算情報の送信を指示する送信ボタンの操作が有効となるように表示するようにしてもよい。この場合、送信ボタンが操作されたことに応じて、登録装置１０は、設定された優先順位に従った順で精算装置２０の精算処理が可能であるか否かを確認し、精算処理が可能であることが確認されなければ、優先順位が次の精算装置２０について確認するようにする。そのうえで、登録装置１０は、最初に精算処理が可能であることが確認された精算装置２０に精算情報を送信して精算処理の実行を指示する。
【０１２４】
なお、上記の第３の指定態様における所定規則に従った精算装置２０、あるいは第４の指定態様における精算装置２０の優先順位としては、例えば、精算装置２０に割り当てられた番号に基づいて決定されてよい。あるいは、登録装置１０から精算装置２０までの距離に基づいて決定されてよい。あるいは、合計金額に基づいて予測される釣銭の金種の内訳と精算装置２０の釣銭機に収納されている貨幣の金種ごとの枚数との関係に基づいて決定されてよい。あるいは、設置されている位置が登録装置１０に精算装置２０ほど優先順位がたかくなるようにしてもよい。
【０１２５】
第５の指定態様として、登録装置１０は、全ての精算装置２０に精算情報を送信する。精算情報を受信した精算装置２０は、自己が受信した精算情報に含まれる精算情報を利用して精算処理を実行可能な状態となると、自己が精算処理を実行することを通知する精算処理実行通知を精算情報の送信元の登録装置１０に送信する。
登録装置１０は、精算処理実行通知の受信に応じて、精算処理実行通知の送信先の精算装置２０を示す表示（精算処理実行表示）を行う。店員は、精算処理実行表示を見て、精算処理を実行する精算装置２０がいずれであるのかを客に伝えればよい。
この際、精算処理実行表示とともに、精算処理実行通知を送信した精算装置２０のサインポール（非図示）を所定のパターンで点灯させたり、精算装置２０から所定の報知音を出力させたりすることで、自己が精算処理を実行することを報知するようにしてよい。
【０１２６】
上記の第３〜第５の指定態様による精算装置２０の指定によれば、精算処理を実行させるべき精算装置２０をいずれとするのかを判断しなくともよい。
【０１２７】
第６の指定態様として、登録装置１０にて商品登録を終えた商品が容れられた買い物かごまたはショッピングカートの位置を検知する商品収容物検知手段を設け、商品収容物検知手段の検知結果に基づいて、商品の精算を行う精算装置２０を指定するようにしてもよい。例えば、各精算装置２０にそれぞれ商品収容物検知手段を設け、買い物かごまたはショッピングカートを検知した商品収容物検知手段が設けられた精算装置２０を、商品の精算を行う精算装置２０として指定するようにしてもよい。商品収容物検知手段としては、買い物かごまたはショッピングカートを搭載する重量センサとしてもよいし、精算装置２０の近傍を撮像する撮像手段と、この撮像手段によって撮像された画像を画像処理することにより、買い物かごまたはショッピングカートを検知する画像処理主手段などであってもよい。また、商品収容物検知手段は、買い物かごまたはショッピングカートの通過または載置等により、光を遮られることによって買い物かごまたはショッピングカートを検知する光センサであってもよい。
【０１２８】
また、買い物かごまたはショッピングカートの移動経路にこれらの重量センサや光センサを設置し、重量センサや光センサによって検知された買い物かごまたはショッピングカートの移動経路から精算処理を行う精算装置２０が指定されるようにしてもよい。
これらの場合にも、精算処理を実行することとなった精算装置２０が、サインポール（非図示）の点灯や報知音の出力などにより、自己が精算処理を実行することを報知するようにしてよい。
【０１２９】
また、精算装置２０の近傍に来た人を検知する人感センサを各精算装置２０に設け、人感センサの検知結果に基づいて精算処理を行う精算装置２０が指定されるようにしてもよい。そして、登録装置１０は、人感センサの検知結果等に基づいて、客や移動した精算装置２０を判断し、客が移動した精算装置２０を、精算処理を行う精算装置２０として指定するようにしてもよい。
【０１３０】
第７の指定態様として、登録装置１０は、精算情報と、複数の精算装置２０間での転送順を設定した転送順情報とを含む精算指示情報を、或る１つの精算装置２０に送信する。
転送順情報は、精算装置２０間で循環的に転送順を指定するものであってよい。
精算指示情報を受信した精算装置２０は、自己が精算処理を実行可能であれば、精算指示情報の送信元の登録装置１０に対して、精算処理実行通知を送信し、受信された精算指示情報に含まれる精算情報を利用して精算処理を実行する。
一方、精算指示情報を受信した精算装置２０は、自己が精算処理を実行不可である場合、受信された精算指示情報に含まれる転送順情報に従って、転送順が次の精算装置２０に対して、受信された精算指示情報を転送する。このようにして、精算装置２０間で精算指示情報が順次転送されるようにすることによっても、精算処理を実行させるべき精算装置２０の指定に相当する手順が実現される。
【０１３１】
上記の各指定態様において、精算処理を実行させる精算装置２０の決定に関する処理は、例えば管理装置（ストアコントローラ３０等）などのように、登録装置１０及び精算装置２０以外の所定の装置が、登録装置１０による商品登録処理の終了に応じて実行するようにされてよい。登録装置１０及び精算装置２０以外の所定の装置としては、例えば精算装置２０の状態をモニタリングするために設けられた装置等であってもよい。
【０１３２】
また、上記の実施形態では、振分装置５０は、常にいずれかの精算装置２０に向けて商品を振り分けるようにしているが、商品の振り分けを中止（中断）するストッパを設けてもよい。ストッパは、別途ストッパ部材を設けてもよいし、振分装置５０の角度調整によって、各精算装置２０への経路を封鎖するものでもよい。また、振分装置５０による振分を中断（中止）しているときには、搬送装置６０による搬送も中断（中止）するようにしてもよい。このように、振分装置５０による振分の中断（中止）を可能とすることにより、例えば、すべての精算装置２０において精算処理が行われており、精算装置２０による精算処理ができないときには、いずれかの精算装置２０による精算処理が終了するまで、振分装置５０による振分を待機することができる。したがって、最初に精算処理が終了した精算装置に対して、商品をスムーズに移動させることができる。
【０１３３】
精算処理が行われていない精算装置２０がある場合には、振分装置５０は、精算処理が行われていない精算装置２０に買上商品を振り分けるようにされていてもよい。この場合、精算処理が行われていない精算装置２０商品の移動を迅速に行うことができるので、客捌きを迅速にできる。また、精算装置２０に優先順位をつけておき、複数の精算装置２０において精算処理が行われていないときには、振分装置５０は、優先順位の高い精算装置２０に買上商品を振り分けるようにされていてもよい。この場合、優先順位の高い精算装置２０に対して迅速に商品を移動させることができる。
【０１３４】
なお、上記の実施形態のＰＯＳシステム１（又は、ＰＯＳシステム２、登録装置１０、精算装置２０、ストアコントローラ３０、振分装置５０、搬送装置６０）の各処理を実行するためのプログラムをコンピュータ読み取り可能な記録媒体に記録して、当該記録媒体に記録されたプログラムをコンピュータシステムに読み込ませ、実行することにより、ＰＯＳシステム１（又は、ＰＯＳシステム２、登録装置１０、精算装置２０、ストアコントローラ３０、振分装置５０、搬送装置６０）の各処理に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１３５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であってもよい。
【符号の説明】
【０１３６】
１、２…ＰＯＳシステム  １０…登録装置  １１…商品登録カウンタ  ２０…精算装置  ２１…精算カウンタ  ３０…ストアコントローラ  ４０…ＬＡＮ  ５０…振分装置  ６０…搬送装置  ６１  接続搬送装置  １０１，２０１…ＣＰＵ  １０２，２０２…ＲＯＭ  １０３，２０３…ＲＡＭ  １０４…スキャナ部  １０５…店員用表示部  １０６…客用表示部  １０７…ハードディスク  １０８…店員用操作部  １０９，２０７…通信部  １１０，２０８…ブザー  １１１…印刷部  １１２，２１１…バス  ２０４…スキャナ部  ２０５…表示操作部  ２０９…印刷部  
【図１】
2019191834.tif 000003
【図２】
2019191834.tif 000004
【図３】
2019191834.tif 000005
【図４】
2019191834.tif 000006
【図５】
2019191834.tif 000007
【図６】
2019191834.tif 000008
【図７】
2019191834.tif 000009